(57)【要約】【課題】暗闇の環境下でも捜し易く、趣を楽しんだりナイトライトの替わりに使用したりすることができる夜光抱き枕（クッション）を提供する。【解決手段】夜光抱き枕（クッション）は、外被層１１と、外被層１１の内側に設けられた充填物と、を有する抱き枕本体１と、抱き枕本体１の少なくとも１面上に設けられた少なくとも１つの発光パターン部２とを備える。【選択図】図１
0003153194.tif 000002
【実用新案登録請求の範囲】
【請求項１】
外被層と、前記外被層の内側に設けられた充填物と、を有する抱き枕本体と、
前記抱き枕本体の少なくとも１面上に設けられた少なくとも１つの発光パターン部と、を備えることを特徴とする夜光抱き枕。
【請求項２】
前記抱き枕本体は、動物形状、植物形状または幾何学的立体形状であることを特徴とする請求項１に記載の夜光抱き枕。
【請求項３】
前記抱き枕本体は、持続性の夜光塗料が塗布された発光折曲げ部が設けられた周縁部を有することを特徴とする請求項１に記載の夜光抱き枕。
【請求項４】
前記発光パターン部は、持続性の夜光塗料が印刷されて構成されるか、持続性の夜光糸が縫製されて構成されることを特徴とする請求項１に記載の夜光抱き枕。
【考案の詳細な説明】
【技術分野】
【０００１】
本考案は、夜光抱き枕（クッション）に関し、特に、抱き枕本体に組み合わされた発光パターン部が発光するため、暗闇の中でも捜し易い上、趣を楽しんだりナイトライトの替わりとして使用したりすることができる夜光抱き枕に関する。
【背景技術】
【０００２】
従来の抱き枕は、外被層と、外被層の内側に設けられた充填物と、抱き枕の周縁部および表面上に設けられた折曲げ部およびパターンと、を含み、普通の枕として使用することができる。
【０００３】
しかし、従来の抱き枕は、普通の枕として用いる以外、他の用途が無かった。さらに、一般にユーザが就寝するとき、電灯全ての電源を切った暗闇の状態であるかナイトライトが点灯しているだけの僅かな光しかない状態となるため、抱き枕を捜すことが困難であった。
【０００４】
そのため、暗闇の中でも捜し易い上、趣を楽しんだりナイトライトの替わりとして使用したりすることができる夜光抱き枕（クッション）が求められていた。
【考案の概要】
【考案が解決しようとする課題】
【０００５】
本考案の目的は、暗闇の中でも捜し易い上、趣を楽しんだりナイトライトの替わりとして使用したりすることができる夜光抱き枕（クッション）を提供することにある。
【課題を解決するための手段】
【０００６】
上記課題を解決するために、本考案の第１の形態によれば、外被層と、前記外被層の内側に設けられた充填物と、を有する抱き枕本体と、前記抱き枕本体の少なくとも１面上に設けられた少なくとも１つの発光パターン部と、を備えることを特徴とする夜光抱き枕（クッション）が提供される。
【０００７】
また、前記抱き枕本体は、動物形状、植物形状または幾何学的立体形状であることが好ましい。
【０００８】
また、前記抱き枕本体は、持続性の夜光塗料が塗布された発光折曲げ部が設けられた周縁部を有することが好ましい。
【０００９】
また、前記発光パターン部は、持続性の夜光塗料が印刷されて構成されるか、持続性の夜光糸が縫製されて構成されることが好ましい。
【考案の効果】
【００１０】
本考案の夜光抱き枕（クッション）は、発光折曲げ部および発光パターン部を組み合わせることにより、暗闇の環境下でも捜し易い上、趣を楽しんだりナイトライトの替わりに使用したりすることができる。
【図面の簡単な説明】
【００１１】
【図１】本考案の一実施形態による夜光抱き枕を示す斜視図である。
【図２】図１の線Ａ−Ａに沿った断面図である。
【図３】本考案の一実施形態による夜光抱き枕を示す斜視図である。
【図４】本考案の一実施形態による夜光抱き枕を示す斜視図である。
【図５】本考案の一実施形態による夜光抱き枕を示す斜視図である。
【図６】本考案の一実施形態による夜光抱き枕を示す斜視図である。
【図７】本考案の一実施形態による夜光抱き枕を示す斜視図である。
【図８】本考案の一実施形態による夜光抱き枕を示す斜視図である。
【考案を実施するための形態】
【００１２】
以下、本考案の実施形態について図に基づいて説明する。なお、これによって本考案が限定されるものではない。
【００１３】
図１〜図６を参照する。図１〜図６に示すように、本考案の一実施形態による夜光抱き枕（クッション）は、少なくとも１つの抱き枕本体１および少なくとも１つの発光パターン部２を含む。
【００１４】
抱き枕本体１は、外被層１１と、外被層１１の内側に設けられた充填物１２と、を含む。図３〜図６に示すように、抱き枕本体１は、動物の形状、植物の形状または幾何学的立体形状（例えば、円形、長尺状、ハート形、イルカ形など）でもよい。
【００１５】
発光パターン部２は、抱き枕本体１の少なくとも１つの面上に設けられ、動物の形状、植物の形状または幾何学的立体形状でもよい。持続性夜光塗料が印刷されて構成されているか、持続性夜光糸が刺繍されて構成されている。
【００１６】
本実施形態では、抱き枕本体１を枕として用いる場合、発光パターン部２が日光を吸収する持続性夜光材料からなるため、ユーザが就寝するときに電灯全てを消したりナイトライトだけを点けたりしても、抱き枕本体１に組み合わされた発光パターン部２により夜光効果を得ることができる。そのため、ユーザは暗闇や僅かな光しかない環境下でも抱き枕本体１を捜し出すことができるだけでなく、趣を楽しむこともできる。さらに、ナイトライトの替わりに本実施形態の発光パターン部２を使用した場合、ナイトライトを含む全ての電灯を消すことができるため、電気を節約して環境保護に貢献することができる。
【００１７】
図７および図８を参照する。図７および図８は、本考案の一実施形態による夜光抱き枕を示す斜視図である。図７および図８に示すように、本実施形態の夜光抱き枕は、抱き枕本体１の周縁部に発光折曲げ部３が周設されている。この発光折曲げ部３は、持続性の夜光塗料が塗布された抱き枕本体１のレース折曲げ部として用いてもよいし（図７に示す）、抱き枕本体１の形状が花の場合、発光折曲げ部３を花びらとして設計してもよい（図８に示す）。使用する際は、抱き枕本体１に発光パターン部２および発光折曲げ部３を組み合わせて夜光効果を得ることにより、暗闇または光が僅かにしかない環境下でも抱き枕本体１が捜し易い上、趣を楽しんだりナイトライトの替わりに使用したりすることができる。
【００１８】
上述した実施形態から分かるように、本考案の夜光抱き枕（クッション）は、発光折曲げ部および発光パターン部を組み合わせることにより、暗闇の環境下でも捜し易く、趣を楽しんだりナイトライトの替わりに使用したりすることができる。
【００１９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２０】
１  抱き枕本体
２  発光パターン部
３  発光折曲げ部
１１  外被層
１２  充填物
【図１】
0003153194.tif 000003
【図２】
0003153194.tif 000004
【図３】
0003153194.tif 000005
【図４】
0003153194.tif 000006
【図５】
0003153194.tif 000007
【図６】
0003153194.tif 000008
【図７】
0003153194.tif 000009
【図８】
0003153194.tif 000010